(57)【要約】【課題】者が容易に医療情報の提供を受けられ、かつ医療情報の管理が容易となる医療情報提供システムを提供する。【解決手段】医療情報提供システム１では、提供サーバ１０においてホームサーバ５０から送信される患者の認証情報を用いて患者の認証を行う。さらにホームサーバ５０から医療情報の要求情報が受信されると、提供サーバ１０は認証された患者の医療情報を暗号化し、この暗号化された医療情報を前記ホームサーバ５０に送信する制御を行う。ホームサーバ５０では提供サーバ１０から受信された医療情報を逐次保存する。【選択図】図１
2008134871.tif 000002
【特許請求の範囲】
【請求項１】
医療情報を提供する提供サーバと、医療情報の提供を受けるホームサーバとがネットワークを介して接続された医療情報提供システムであって、
前記提供サーバは、
患者毎に医療情報を記憶する医療情報記憶手段と、
患者の認証情報を記憶する認証情報記憶手段と、
前記ホームサーバから受信される患者の認証情報及び前記認証情報記憶手段に記憶された認証情報を用いて患者の認証を行う認証手段と、
前記ホームサーバから受信される医療情報の要求情報に応じて、前記医療情報記憶手段に記憶された医療情報のうち、前記認証手段により認証された患者の医療情報を暗号化し、この暗号化された医療情報を前記ホームサーバに送信する制御を行う制御手段と、を備え、
前記ホームサーバは、
前記提供サーバから送信された医療情報を記憶する医療情報記憶手段を備えることを特徴とする医療情報提供システム。
【請求項２】
医療情報を提供する提供サーバと、医療情報の提供を受けるホームサーバとがネットワークを介して接続された医療情報提供システムであって、
前記提供サーバは、
患者毎に医療情報を記憶する医療情報記憶手段と、
患者のホームサーバのアドレス情報を記憶するアドレス情報記憶手段と、
前記医療情報記憶手段に患者の医療情報が記憶されると、当該医療情報を暗号化し、前記アドレス情報により示される患者のホームサーバに前記暗号化された医療情報を送信する制御を行う制御手段と、を備え、
前記ホームサーバは、
前記提供サーバから受信された医療情報を記憶する医療情報記憶手段を備えることを特徴とする医療情報提供システム。
【請求項３】
中継サーバをさらに備え、
前記提供サーバの制御手段は、前記中継サーバを介して前記医療情報を前記ホームサーバに送信するよう制御することを特徴とする請求項１又は２に記載の医療情報提供システム。
【請求項４】
前記提供サーバと前記ホームサーバとの通信方式は、ＩＰｓｅｃ方式であることを特徴とする請求項１〜３の何れか一項に記載の医療情報提供システム。
【請求項５】
ネットワークを介してホームサーバに医療情報を提供する提供サーバであって、
前記提供サーバは、
患者毎に医療情報を記憶する医療情報記憶手段と、
患者の認証情報を記憶する認証情報記憶手段と、
前記ホームサーバから受信される患者の認証情報及び前記認証情報記憶手段に記憶された認証情報を用いて患者の認証を行う認証手段と、
前記ホームサーバから受信される医療情報の要求情報に応じて、前記医療情報記憶手段に記憶された医療情報のうち、前記認証手段により認証された患者の医療情報を暗号化し、この暗号化された医療情報を前記ホームサーバに送信する制御を行う制御手段と、
を備えることを特徴とする提供サーバ。
【請求項６】
ネットワークを介してホームサーバに医療情報を提供する提供サーバであって、
患者毎に医療情報を記憶する医療情報記憶手段と、
患者のホームサーバのアドレス情報を記憶するアドレス情報記憶手段と、
前記医療情報記憶手段に患者の医療情報が記憶されると、当該医療情報を暗号化し、前記アドレス情報により示される患者のホームサーバに前記暗号化された医療情報を送信する制御を行う制御手段と、
を備えることを特徴とする提供サーバ。
【発明の詳細な説明】
【技術分野】
【０００１】
本発明は、医療情報を提供する医療情報提供システム及び提供サーバに関する。
【背景技術】
【０００２】
従来から、各医療機関の端末をネットワークで接続し、検査撮影による医用画像や読影レポート、電子カルテ等の患者の医療情報を、医療機関間でネットワークを介して交換することができるシステムが開発されている（例えば、特許文献１参照）。
【０００３】
一方、患者に医療情報を提供する場合には、当該医療情報をＤＶＤ（Digital Versatile Disk）等の可搬型の記録媒体に保存して患者に手渡す等のことが行われている。
【特許文献１】特開２００２−２３０１６５号公報
【発明の開示】
【発明が解決しようとする課題】
【０００４】
しかし、記録媒体を用いる場合、診察毎に当該記録媒体が手渡されることとなるため、患者にとっては記録媒体の管理が負担となることが考えられる。例えば、次回の診察時に記録媒体を持参しなければならない場合には煩雑であることである。また、記録媒体に保存された撮影画像等は患者の個人情報であるため、慎重な管理を行わなければならない。
【０００５】
本発明の課題は、患者が容易に医療情報の提供を受けられ、かつ医療情報の管理が容易となる医療情報提供システムを提供することである。
【課題を解決するための手段】
【０００６】
請求項１に記載の発明は、
医療情報を提供する提供サーバと、医療情報の提供を受けるホームサーバとがネットワークを介して接続された医療情報提供システムであって、
前記提供サーバは、
患者毎に医療情報を記憶する医療情報記憶手段と、
患者の認証情報を記憶する認証情報記憶手段と、
前記ホームサーバから受信される患者の認証情報及び前記認証情報記憶手段に記憶された認証情報を用いて患者の認証を行う認証手段と、
前記ホームサーバから受信される医療情報の要求情報に応じて、前記医療情報記憶手段に記憶された医療情報のうち、前記認証手段により認証された患者の医療情報を暗号化し、この暗号化された医療情報を前記ホームサーバに送信する制御を行う制御手段と、を備え、
前記ホームサーバは、
前記提供サーバから送信された医療情報を記憶する医療情報記憶手段を備えることを特徴とする。
【０００７】
請求項２に記載の発明は、
医療情報を提供する提供サーバと、医療情報の提供を受けるホームサーバとがネットワークを介して接続された医療情報提供システムであって、
前記提供サーバは、
患者毎に医療情報を記憶する医療情報記憶手段と、
患者のホームサーバのアドレス情報を記憶するアドレス情報記憶手段と、
前記医療情報記憶手段に患者の医療情報が記憶されると、当該医療情報を暗号化し、前記アドレス情報により示される患者のホームサーバに前記暗号化された医療情報を送信する制御を行う制御手段と、を備え、
前記ホームサーバは、
前記提供サーバから受信された医療情報を記憶する医療情報記憶手段を備えることを特徴とする。
【０００８】
請求項３に記載の発明は、請求項１又は２に記載の医療情報提供システムにおいて、
中継サーバをさらに備え、
前記提供サーバの制御手段は、前記中継サーバを介して前記医療情報を前記ホームサーバに送信するよう制御することを特徴とする。
【０００９】
請求項４に記載の発明は、請求項１〜３の何れか一項に記載の医療情報提供システムにおいて、
前記提供サーバと前記ホームサーバとの通信方式は、ＩＰｓｅｃ方式であることを特徴とする。
【００１０】
請求項５に記載の発明は、
ネットワークを介してホームサーバに医療情報を提供する提供サーバであって、
前記提供サーバは、
患者毎に医療情報を記憶する医療情報記憶手段と、
患者の認証情報を記憶する認証情報記憶手段と、
前記ホームサーバから受信される患者の認証情報及び前記認証情報記憶手段に記憶された認証情報を用いて患者の認証を行う認証手段と、
前記ホームサーバから受信される医療情報の要求情報に応じて、前記医療情報記憶手段に記憶された医療情報のうち、前記認証手段により認証された患者の医療情報を暗号化し、この暗号化された医療情報を前記ホームサーバに送信する制御を行う制御手段と、
を備えることを特徴とする。
【００１１】
請求項６に記載の発明は、
ネットワークを介してホームサーバに医療情報を提供する提供サーバであって、
患者毎に医療情報を記憶する医療情報記憶手段と、
患者のホームサーバのアドレス情報を記憶するアドレス情報記憶手段と、
前記医療情報記憶手段に患者の医療情報が記憶されると、当該医療情報を暗号化し、前記アドレス情報により示される患者のホームサーバに前記暗号化された医療情報を送信する制御を行う制御手段と、
を備えることを特徴とする。
【発明の効果】
【００１２】
請求項１、５に記載の発明によれば、提供サーバにおいて患者に対応する医療情報を、当該患者のホームサーバに配信することができる。よって、患者は可搬型の記録媒体を用いることなく、患者自身の医療情報を容易に取得することができる。さらに、医療情報は暗号化するため、セキュリティを向上させることができ、医療情報が外部へ漏洩するのを防ぐことができる。また、患者はホームサーバにより医療情報を直接的に管理することができ、その管理が容易となる。
【００１３】
請求項２、６に記載の発明によれば、提供サーバからホームサーバへ医療情報を配信する。よって、患者は可搬型の記録媒体を用いることなく、患者自身の医療情報を容易に取得することができる。また、医療情報の提供は提供サーバから一方的に行うので、外部から提供サーバへの侵入を防止することができ、セキュリティをより高めることができる。
【００１４】
請求項３に記載の発明によれば、中継サーバを介在させることにより、外部から提供サーバへの侵入を防止することができ、セキュリティをより向上させることができる。
【００１５】
請求項４に記載の発明によれば、ＩＰｓｅｃ方式により、提供サーバとホームサーバ間においてセキュリティの高いＶＰＮを構築することができ、医療情報提供システムのセキュリティをより高めることができる。
【発明を実施するための最良の形態】
【００１６】
まず、構成を説明する。
図１に、本実施形態における医療情報提供システム１のシステム構成を示す。
医療情報提供システム１は、各患者に対し、その患者の医療情報を提供するためのシステムである。
医療情報提供システム１は、図１に示すように病院内に設置された提供サーバ１０、患者宅に設置されたホームサーバ５０を備えて構成されている。提供サーバ１０とホームサーバ５０はネットワークＮ１を介して接続されている。また、医療情報提供システム１は中継サーバ３０を備えている。提供サーバ１０は中継サーバ３０と専用線Ｎ３で接続され、この中継サーバ３０を介してホームサーバ５０に医療情報を送信することが可能となっている。
【００１７】
ネットワークＮ１はインターネット等の通信回線である。提供サーバ１０とネットワークＮ１との間にはファイアウォールＦＷが構築されており、ネットワークＮ１からの不正侵入に対する防御が図られている。また、ホームサーバ５０とネットワークＮ１との間にはルータＲが設置されている。
【００１８】
提供サーバ１０は、病院内に設置されるモダリティ（医用画像の撮影又は生成を行う装置。図示せず。）や、医師が使用する情報処理装置２０等に院内ネットワークＮ２を介して接続され、これら装置から医療情報を取得してこれを保存、管理する。医療情報とは、医用画像やその読影レポート、電子カルテその他患者の診療に係る情報をいう。
また、提供サーバ１０は、保存した医療情報を患者のホームサーバ５０に提供するための処理を実行する。
【００１９】
図２に、提供サーバ１０の内部構成を示す。
提供サーバ１０は、図２に示すように、制御部１１、操作部１２、表示部１３、通信部１４、記憶部１５、ＤＢ（Data Base）１６を備えて構成されている。
【００２０】
制御部１１は、ＣＰＵ（Central Processing Unit）、ＲＡＭ（Random Access Memory）等を備えて構成されている。制御部１１は、記憶部１５から各種制御プログラムを読み出して展開し、当該制御プログラムとの協働により各種演算を行う。或いは各部の動作を集中制御する。
【００２１】
操作部１２は、キーボード、マウス等を備え、これらの操作に応じた操作信号を生成して制御部１１に出力する。
【００２２】
表示部１３は、ディスプレイを備え、制御部１１の表示制御に従ってこのディスプレイ上に各種操作画面を表示させる。
【００２３】
通信部１４は、通信用のインターフェイスを備え、中継サーバ３０及びホームサーバ５０等の外部装置と通信を行う。
なお、ホームサーバ５０又は中継サーバ３０と通信を行う際には、ＩＰｓｅｃ（IP Security）によるＶＰＮ（Virtual Private Network）を構築するよう、制御部１１において通信制御を行うものとする。すなわち、制御部１１は認証、鍵交換、暗号化に係る処理の実行を制御する。
【００２４】
記憶部１５は、ハードディスク等であり、制御プログラムやプログラムの実行に必要なパラメータ等を記憶している。
また、記憶部１５は、患者への医療情報の提供に際して必要な情報が登録された登録テーブル１５１（図３参照）を記憶している。図３に示すように、登録テーブル１５１には、医療情報の提供を受ける患者名、パスワードの認証情報の他、患者が用いるホームサーバ５０のアドレス情報であるＩＰアドレス、メールアドレスの各項目情報が記憶されている。これらの情報は医療情報の提供を受ける患者について登録された情報である。なお、ＩＰアドレスはＩＰｖ４によるものとする。
さらに、登録テーブル１５１では、上記の各項目情報に対応付けて、登録された患者（以下、登録患者という）について生成された暗号鍵、復号鍵の情報が対応付けて記憶されている。これら鍵情報は暗号化通信に用いられるものである。
【００２５】
ＤＢ１６は、大容量メモリから構成される医療情報記憶手段であり、患者ごとに医療情報をデータベース化して保存している。
【００２６】
ホームサーバ５０は、提供サーバ１０から医療情報を受信し、これを保存、管理するものである。ホームサーバ５０は、患者宅に設置され、医療情報の提供を受けるために患者によって使用されるものである。
また、ホームサーバ５０は、患者宅内の家庭内ネットワークＮ４を介してＰＣ４０に接続されている。ＰＣ４０は患者が医療情報の閲覧を行うための情報処理装置である。ホームサーバ５０は、このＰＣ４０からの要求に応じて医療情報をＰＣ４０に送信する。
【００２７】
ホームサーバ５０の基本構成は、図２に示した提供サーバ１０の構成と同一であり、その動作が異なるのみであるので、ここでは構成についての図示及び説明を省略する。すなわち、ホームサーバ５０は、制御部、操作部、表示部、通信部、記憶部、ＤＢ等を備えて構成されており、通信部を介してホームサーバ５０又は中継サーバ３０と通信を行い、受信した医療情報をＤＢに保存する。
【００２８】
中継サーバ３０は、専用線Ｎ３を介して提供サーバ１０から送信対象の医療情報を受信し、これを指定された送信先へ送信する。すなわち、中継サーバ３０によって医療情報の送信を中継することにより、外部から提供サーバ１０へ侵入されることを防止するものである。
【００２９】
中継サーバ３０は、ホームサーバ５０の記憶部１５に記憶されている登録テーブル１５１と同一のものを備えている。中継サーバ３０は、常に提供サーバ１０の登録テーブル１５１と内容が同一となるように、提供サーバ１０において登録テーブル１５１の更新が行われると、同様に中継サーバ３０が備える登録テーブルの更新を行う。
【００３０】
次に、上記医療情報提供システム１の動作について説明する。
説明の前提として、患者が医師の診察を受けてからその診察に関する医療情報の提供を受けるまでの流れを説明する。
まず、医師の診察の結果、検査撮影が行われ、当該検査撮影によってモダリティにおいて医用画像が生成されると、当該医用画像は提供サーバ１０のＤＢ１６へ保存される。医師が医用画像の読影の結果を読影レポートとして作成した場合には、この読影レポートも提供サーバ１０のＤＢ１６へ保存される。電子カルテ等についても同様である。
【００３１】
そして、患者が医療情報の提供をネットワーク経由で希望する場合、提供に際して必要な情報の登録を行う。登録する情報は、提供サーバ１０へのアクセスに際して患者の認証に必要な患者名、パスワードの認証情報である。また、提供サーバ１０とホームサーバ５０間での通信に必要なＩＰアドレス、メールアドレス等のアドレス情報もその一つである。
【００３２】
以下、上記の情報を新規登録する際に提供サーバ１０において実行される登録処理について、図４を参照して説明する。
図４に示す登録処理では、まず操作部１２を介して患者名等の認証情報や、患者のホームサーバ５０のメールアドレス、ＩＰアドレスのアドレス情報が入力されると、制御部１１の制御によりこれら情報は記憶部１５の登録テーブル１５１に書き込まれ、登録される（ステップＳ１）。
【００３３】
登録が終了すると、制御部１１では登録された患者について暗号鍵、復号鍵の対応する鍵情報を生成し、当該患者に対応付けてこれら暗号鍵、復号鍵の鍵情報を記憶部１５の登録テーブル１５１に保存する（ステップＳ２）。
【００３４】
次いで、制御部１１は電子メールプログラムを起動し、当該プログラムの実行によりメールを生成する。制御部１１は生成したメールの宛先として、新規登録された患者のメールアドレスを設定するとともに、当該患者に対応して生成された復号鍵の鍵情報をメールに添付する。通信部１４は制御部１１により生成されたメールを設定されたメールアドレスへ送信する（ステップＳ３）。
【００３５】
その後、制御部１１は中継サーバ３０の登録テーブルの内容を更新するよう指示する指示情報を生成し、この指示情報とともに新規登録された患者の認証情報、アドレス情報、鍵情報を中継サーバ３０に通信部１４を介して送信させる（ステップＳ４）。
【００３６】
上記登録処理により、患者宅のホームサーバ５０では、復号鍵の鍵情報が添付されたメールを受信することとなる。ホームサーバ５０ではこの復号鍵の鍵情報を保存し、今後提供される医療情報の復号化を行う際に利用する。
患者は自宅に戻り、ホームサーバ５０において提供サーバ１０の医療情報の提供サービスへのログイン操作を行って、医療情報を要求する。
【００３７】
次に、医療情報の提供時に、ホームサーバ５０、提供サーバ１０、中継サーバ３０において実行される処理について、図５を参照して説明する。医療情報の提供は、提供サーバ１０から直接ホームサーバ５０に医療情報を送信することも可能であるが、ここではセキュリティを重視し、中継サーバ３０を介して間接的にホームサーバ５０へ医療情報を送信する場合について説明する。
図５に示すように、ホームサーバ５０ではログイン動作を行う（ステップＳ１１）。ログイン動作では、患者の認証情報を入力するための操作画面を表示し、入力された認証情報を提供サーバ１０に送信する。
【００３８】
提供サーバ１０では、ホームサーバ５０から受信された患者の認証情報と、登録テーブル１５１に登録されている各患者の認証情報とを照合し、一致する認証情報があれば登録患者であるとして認証する（ステップＳ１２）。一方、何れの患者の認証情報とも一致しない場合には登録患者ではないとして医療情報の提供は行わない。提供サーバ１０は認証結果をホームサーバ５０に送信する。
【００３９】
ホームサーバ５０では、患者が認証されると、当該患者についての医療情報を要求する要求情報を生成し、提供サーバ１０に送信する（ステップＳ１３）。提供サーバ１０では、ホームサーバ５０から受信された医療情報の要求情報に応じて、医療情報の提供のための制御を行う。すなわち、ホームサーバ５０へネットワークＮ１を介して医療情報を送信するところ、この送信にあたり提供サーバ１０から直接送信するのではなく、中継サーバ３０を介して送信させる。よって、提供サーバ１０では認証された患者に対応する医療情報を制御部１１がＤＢ１６から読み出し、当該医療情報を通信部１４により専用線Ｎ３を介して中継サーバ３０に送信させる。また、医療情報とともに、認証された患者の認証情報、当該認証された患者のホームサーバ５０へ医療情報を提供するよう指示する指示情報を送信する（ステップＳ１４）。なお、提供サーバ１０と中継サーバ３０を接続するのは専用線Ｎ３であるので、ある程度のセキュリティは保たれているが、よりセキュリティを高めるため、医療情報は暗号化して送信することとする。
【００４０】
中継サーバ３０では、中継サーバ３０が備える登録テーブルに基づいて、患者の認証情報に対応する暗号鍵の鍵情報を取得する。そして、当該暗号鍵を用いて提供サーバ１０から送信された医療情報の暗号化を行う（ステップＳ１５）。なお、提供サーバ１０から直接ホームサーバ５０へ医療情報を送信する場合には、この暗号化処理は提供サーバ１０において行われることとなる。
【００４１】
次いで、中継サーバ３０は、患者の認証情報に対応する患者のホームサーバ５０のＩＰアドレスを前記登録テーブルから取得し、当該ＩＰアドレスのホームサーバ５０へ前記暗号鍵により暗号化した医療情報を送信する（ステップＳ１６）。
【００４２】
ホームサーバ５０では、中継サーバ３０から受信された医療情報を、予め提供サーバ１０から送信されていた復号鍵を用いて復号化する。ホームサーバ５０は復号化された医療情報をデータベース化した後、保存する（ステップＳ１７）。
このようにしてホームサーバ５０に保存された医療情報は、家庭内ネットワークＮ４を介して接続されたＰＣ４０において読み出し、表示することが可能となる。
【００４３】
以上のように、本実施形態によれば、提供サーバにおいて患者に対応する医療情報を、当該患者のホームサーバ５０からの要求に応じてネットワークＮ１を介して配信するよう制御を行う。よって、患者は可搬型の記録媒体を用いることなく、患者自身の医療情報を容易に取得することができる。
【００４４】
また、ホームサーバ５０において医療情報を受信し、逐次データベース化して保存していくので、各医療機関で個別に生成された医療情報や、時期を隔てて生成された医療情報等を一括してホームサーバ５０において管理することができる。従って、各医療情報の管理及び閲覧が容易となり、患者が患者自身の医療情報を把握しやすいものとなる。例えば、新規の医療機関に訪れる際に過去の病歴を確認したり、患者自身が過去数ヶ月分の投薬情報を編集して印刷し、医療機関に持ち込んだりすることができる。
【００４５】
また、提供サーバ１０からネットワークＮ１を介して医療情報を提供する際には、ＩＰｓｅｃによる認証、暗号化プロトコルを用いた通信方式を採用する。よって、患者の個人情報である医療情報の外部への漏洩の防止を図ることができ、セキュリティが向上する。
【００４６】
さらに、提供サーバ１０からホームサーバ３０へ直接的に医療情報を送信するのではなく、中継サーバ３０を介して送信する。これにより、医療情報の送信に際して外部から提供サーバ１０へ不正侵入されることを防止することができ、提供サーバ１０におけるセキュリティを確保することができる。提供サーバ１０は全ての患者の医療情報を管理している他、院内ネットワークＮ２を介して病院内の各種装置に接続されている。よって、本実施形態のように提供サーバ１０への不正侵入を防止する構成は提供サーバ１０で管理する医療情報の漏洩を防止するだけでなく、医療機関内の各種装置への不正侵入をも防止することが可能となる。
【００４７】
なお、上記実施形態は本発明を適用した好適な一例であってこれに限定するものではない。
例えば、医療情報提供システム１においては、ＩＰｖ４にＩＰｓｅｃの機能を追加して説明しているが、基本機能としてＩＰｓｅｃが標準装備されるＩＰｖ６の系を採用しても同様である。
【００４８】
また、患者の認証方式は事前に鍵情報を取り決める事前鍵認証方式としたが、認証方式については特に限定せず、電子署名を用いた方式や、公開鍵・秘密鍵を用いた方式等、他の方式を採用することとしてもよい。
さらに、よりセキュリティの向上を図るのであれば、ＶＰＮではなくＳＳＬ（Secure Socket Layer）ＶＰＮを構築することとしてもよい。
【００４９】
さらに、暗号化、復号化に生体認証情報を用いることとしてもよい。すなわち、指紋や静脈パターン等の患者に固有の情報が復号鍵となるように、暗号鍵、復号鍵の鍵情報を生成する。生体認証情報を復号鍵として用いる場合、提供サーバ１０の登録処理（図４参照）において復号鍵をメールに添付してホームサーバ５０に送付する工程は省くこととしてもよい。ホームサーバ５０に生体認証情報の入力装置（例えば、指紋読取装置等）を設け、ホームサーバ５０側でこの入力装置によって生体認証情報を取得して復号鍵を生成し、医療情報の復号に用いればよい。
【００５０】
また、中継サーバ３０を設けずに提供サーバ１０において暗号化した医療情報を直接ホームサーバ５０へ送信することとしてもよい。暗号化により医療情報の漏洩の防止は図ることができる。
【００５１】
また、上記説明ではホームサーバ５０からの要求に応じて提供サーバ１０が医療情報を提供する構成としたが、ホームサーバ５０からの要求がなくとも、提供サーバ１０が一方的にホームサーバ５０に医療情報を提供することとしてもよい。
【００５２】
図６を参照して提供サーバ１０が一方的に医療情報を提供する際の処理の流れについて説明する。なお、この処理の前に図４を参照して説明した登録処理が行われているのは、上述した実施形態と同じである。
図６に示すように、まず提供サーバ１０では登録テーブル１５１に患者の新規登録がされた又は患者の医療情報がＤＢ１６に保存されると、当該登録患者の医療情報を制御部１１がＤＢ１６から読み出し、当該医療情報を通信部１４により専用線Ｎ３を介して中継サーバ３０に送信させる。また、医療情報とともに、認証された患者の認証情報、当該認証された患者のホームサーバ５０へ医療情報を提供するよう指示する指示情報を送信する（ステップＳ２１）。
【００５３】
中継サーバ３０では、送信された指示情報に応じて、中継サーバ３０が備える登録テーブルに基づき、患者の認証情報に対応する暗号鍵の鍵情報を取得する。そして、当該暗号鍵を用いて提供サーバ１０から送信された医療情報の暗号化を行う（ステップＳ２２）。
次いで、中継サーバ３０は、患者の認証情報に対応する患者のホームサーバ５０のＩＰアドレスを前記登録テーブルから取得し、当該ＩＰアドレスへ前記暗号鍵により暗号化した医療情報を送信する（ステップＳ２３）。
【００５４】
ホームサーバ５０では、中継サーバ３０から受信された医療情報を、予め提供サーバ１０から送信されていた復号鍵を用いて復号化する。ホームサーバ５０は復号化された医療情報をデータベース化した後、保存する（ステップＳ２４）。
【００５５】
このように、患者登録を行ったタイミングの他、例えば新規に医療情報が生成され、保存されたタイミングで、提供サーバ１０から一方的に医療情報を登録された患者のホームサーバ５０に提供することにより、提供サーバ１０に直接アクセスする機会を減らすことができ、ネットワークＮ１から提供サーバ１０への不正侵入を防止することが可能となる。
また、患者にとってもログイン操作する必要がないので、特に意識することなく、自己の医療情報を取得することが可能となる。
【００５６】
近年では、ＩＰｖ６の採用により利用できるＩＰアドレスの数が飛躍的に増加したことから、冷蔵庫やテレビ等、家電製品にもＩＰアドレスを付与し、ネットワークに接続することが可能となっている。よって、これら家電製品にハードディスク等の大容量メモリを備えさせ、このメモリに提供サーバ１０から順次提供された医療情報を蓄積していく場面も考えられる。
【図面の簡単な説明】
【００５７】
【図１】本実施形態における医療情報提供システムのシステム構成を示す図である。
【図２】図１の提供サーバの内部構成を示す図である。
【図３】図２の記憶部に記憶される登録テーブル例を示す図である。
【図４】提供サーバにおいて実行される登録処理を説明するフローチャートである。
【図５】提供サーバ、ホームサーバ、中継サーバにおいて行われる処理の流れを説明する図である。
【図６】他の実施形態における処理の流れを説明する図である。
【符号の説明】
【００５８】
１  医療情報提供システム
１０  提供サーバ
１１  制御部
１５  記憶部
１６  ＤＢ
３０  中継サーバ
５０  ホームサーバ
【図１】
2008134871.tif 000003
【図２】
2008134871.tif 000004
【図３】
2008134871.tif 000005
【図４】
2008134871.tif 000006
【図５】
2008134871.tif 000007
【図６】
2008134871.tif 000008